(57)【特許請求の範囲】
【請求項１】
所定の操作者が接触することで予め割り当てられた所定の機能を実行する複数種類の操作ボタンの何れかの表示位置を、所定の表示手段における操作ボタン表示位置設定画面の所定の第１の表示領域の所定の位置に複数設定して表示する表示位置制御手段と、
前記表示位置制御手段により表示された前記表示位置の何れかを所定の操作者が接触したときに該表示位置を選択する表示位置選択手段と、
前記表示位置選択手段で選択された表示位置に表示可能な前記複数種類の操作ボタンの一覧を、前記表示手段における操作ボタン表示位置設定画面の前記第１の表示領域とは異なる所定の第２の表示領域に表示する一覧表示手段と、
前記一覧表示手段で表示された前記複数種類の操作ボタンの何れかを所定の操作者が接触したときに該操作ボタンを選択する操作ボタン選択手段と、
前記操作ボタン選択手段で選択された操作ボタンを、前記表示位置選択手段で選択された表示位置に前記所定の操作者に係る配置として表示すると共に、前記所定の機能を実行する画面において、前記所定の操作者を表示し且つ前記操作ボタンを前記表示位置と対応する位置に操作可能に表示する操作ボタン表示制御手段と、
を有することを特徴とする内視鏡システムの表示制御システム。
【請求項２】
所定の操作者が接触することで予め割り当てられた所定の機能を実行する複数種類の操作ボタンの何れかの表示位置を、所定の表示手段における操作ボタン表示位置設定画面の所定の第１の表示領域の所定の位置に複数設定して表示する表示位置制御ステップと、
前記表示位置制御ステップにより表示された前記表示位置の何れかを選択する表示位置選択ステップと、
前記表示位置選択ステップで選択された表示位置に表示可能な前記複数種類の操作ボタンの一覧を、前記表示ステップにおける操作ボタン表示位置設定画面の前記第１の表示領域とは異なる所定の第２の表示領域に表示する一覧表示ステップと、
前記一覧表示ステップで表示された前記複数種類の操作ボタンの何れかを選択する操作ボタン選択ステップと、
前記操作ボタン選択ステップで選択された操作ボタンを、前記表示位置選択ステップで選択された表示位置に前記所定の操作者に係る配置として表示すると共に、前記所定の機能を実行する画面において、前記所定の操作者を表示し且つ前記操作ボタンを前記表示位置と対応する位置に操作可能に表示する操作ボタン表示制御ステップと、
を有することを特徴とする内視鏡システムの表示制御方法。
【発明の詳細な説明】
【０００１】
【産業上の利用分野】
本発明は、内視鏡システムの表示制御システム及び内視鏡システムの表示制御方法に関する。
【０００２】
【従来の技術】
医療用分野において、内視鏡を用いて診断あるいは治療処置を行う場合、使用に必要となる内視鏡、光源装置等をラック等にまとめて内視鏡システムを構成したり、これらの装置を搭載したラックを組み合わせるなどして、診断等を行うことが一般的である。
【０００３】
また、本出願人は、特開平３−２８４２３０号公報において、複数の装置を１つの筐体内に収納し、これら複数の装置を集中制御する集中制御部と、複数の装置を集中的に操作する集中操作部とを備えた内視鏡システムを提案している。
【０００４】
このような内視鏡システムは、内視鏡を介して被検体へ照明光を供給するための光源装置、内視鏡からの画像信号を処理する映像信号処理装置（ビデオプロセッサあるいはビデオシステムセンタ）、内視鏡からの光学像を撮影する自動撮影装置、被検部位を焼灼して治療を行う焼灼装置（ヒートプローブ装置）、被検部位を切除する電気メス装置等、多様な装置があり、これらの周辺装置を目的に合わせて組み合わせて構成されている。
【０００５】
そして、前記周辺装置を集中操作するための集中操作部として、各操作用のスイッチを表示する液晶ディスプレイ等の操作画面表示部、及び操作画面表示部上に配設されたタッチパネル等の入力検出部が設けられている。前記操作画面表示部には、例えば図４８に示すような操作画面が表示され、操作画面上の目的の操作スイッチを押す（あるいは触れる）と、タッチパネル上の押された位置が検出されて集中制御部へ操作指令が入力され、集中制御部により該当する装置の制御が行われるようになっている。
【０００６】
このように構成することにより、内視鏡による診断や治療処置の際に各周辺装置を集中的に操作、制御することができ、また各装置の動作状態を確認できるため、各装置の操作時における操作者の負担を軽減でき、操作性を向上できる。また、使用する装置が異なる場合においても、目的に応じて装置を組み合わせて内視鏡システムを構成でき、システムの構成に応じて各周辺装置を集中制御することができる。
【０００７】
前述のような従来の内視鏡システムでは、集中操作部に表示する操作画面は１つの画面に全ての装置のスイッチを表示することは不可能であり、また各装置毎に操作画面を設けた方が装置の操作パネルと同じ感覚で操作しやすいこともあり、使用する装置毎に操作画面を切り換えるようにしていた。
【０００８】
集中操作部の操作画面によって各装置を操作、制御する際に、制御する装置の構成が複雑化し、装置毎に多くのスイッチを設ける必要がある場合には、タッチパネル等の指で押して操作するものでは１つの画面中のスイッチの個数を増加させると操作性が悪くなったり、視認性が悪くて目的のスイッチがすぐに見つからなかったり、誤操作の恐れがあるなどの不具合が生じる。
【０００９】
そこで、このように複数の操作画面を切り換える場合、例えば、各操作画面を装置毎や機能毎に分類して、これらを使用頻度に応じて階層構造とする構成が用いられる。この場合、よく使用するスイッチは浅い階層の操作画面に、あまり使用しないスイッチは深い階層の操作画面に配置して、最上層に各装置を選択するためのメニュースイッチを配置した画面を設けるようにする。このように、操作画面を階層構造とすることにより、各操作用のスイッチを適切な位置に整理して配置でき、複数の装置を集中的に操作する際の操作性を向上することができる。
【００１０】
【発明が解決しようとする課題】
しかしながら、従来の装置では、前述のように複数の操作画面を階層構造として複数の装置を集中的に操作する場合に、全てのユーザが満足するように操作スイッチを配置することは難しく、また、行われる検査や処置によっても使用される機能が異なるため、最上位の階層の機能を常に使用するわけではなかった。従って、従来の装置では、目的の操作スイッチの表示が得られるまでに煩雑な操作が必要であり、操作性が良くなかった。
【００１１】
本発明は、これらの事情に鑑みてなされたもので、複数の装置を集中的に操作、制御する場合に、全てのユーザが満足するような各種操作スイッチの機能・配置を設定可能とすることにより操作性を向上することが可能な内視鏡システムの表示制御システム及び内視鏡システムの表示制御方法を提供することを目的としている。
【００１２】
【課題を解決するための手段】
本発明の内視鏡システムの表示制御システムは、
所定の操作者が接触することで予め割り当てられた所定の機能を実行する複数種類の操作ボタンの何れかの表示位置を、所定の表示手段における操作ボタン表示位置設定画面の所定の第１の表示領域の所定の位置に複数設定して表示する表示位置制御手段と、
前記表示位置制御手段により表示された前記表示位置の何れかを所定の操作者が接触したときに該表示位置を選択する表示位置選択手段と、
前記表示位置選択手段で選択された表示位置に表示可能な前記複数種類の操作ボタンの一覧を、前記表示手段における操作ボタン表示位置設定画面の前記第１の表示領域とは異なる所定の第２の表示領域に表示する一覧表示手段と、
前記一覧表示手段で表示された前記複数種類の操作ボタンの何れかを所定の操作者が接触したときに該操作ボタンを選択する操作ボタン選択手段と、
前記操作ボタン選択手段で選択された操作ボタンを、前記表示位置選択手段で選択された表示位置に前記所定の操作者に係る配置として表示すると共に、前記所定の機能を実行する画面において、前記所定の操作者を表示し且つ前記操作ボタンを前記表示位置と対応する位置に操作可能に表示する操作ボタン表示制御手段と、
を有することを特徴とする。
【００１３】
本発明の内視鏡システムの表示制御方法は、
所定の操作者が接触することで予め割り当てられた所定の機能を実行する複数種類の操作ボタンの何れかの表示位置を、所定の表示手段における操作ボタン表示位置設定画面の所定の第１の表示領域の所定の位置に複数設定して表示する表示位置制御ステップと、
前記表示位置制御ステップにより表示された前記表示位置の何れかを選択する表示位置選択ステップと、
前記表示位置選択ステップで選択された表示位置に表示可能な前記複数種類の操作ボタンの一覧を、前記表示ステップにおける操作ボタン表示位置設定画面の前記第１の表示領域とは異なる所定の第２の表示領域に表示する一覧表示ステップと、
前記一覧表示ステップで表示された前記複数種類の操作ボタンの何れかを選択する操作ボタン選択ステップと、
前記操作ボタン選択ステップで選択された操作ボタンを、前記表示位置選択ステップで選択された表示位置に前記所定の操作者に係る配置として表示すると共に、前記所定の機能を実行する画面において、前記所定の操作者を表示し且つ前記操作ボタンを前記表示位置と対応する位置に操作可能に表示する操作ボタン表示制御ステップと、
を有することを特徴とする。
【００１５】
【実施例】
以下、図面を参照して本発明の実施例を説明する。
図１ないし図４１は本発明の第１実施例に係り、図１及び図４ないし図８はコントロールパネルに表示される各周辺装置に対する操作を行うための操作画面を示す説明図、図２は内視鏡システムの外観構成を示す斜視図、図３は内視鏡システムの制御系の構成を示すブロック図、図９は見出し部の構成の変形例を示す説明図、図１０はコントロールパネルにより各周辺装置を制御する際の機能構成を示すブロック図、図１１は日付け等を設定するための日付け設定画面を示す説明図、図１２及び図１３は患者データを入力する際に用いる患者データ入力画面を示す説明図、図１４はコントロールパネルの操作説明を行うＨＥＬＰモード時のＨＥＬＰモード画面を示す説明図、図１５は内視鏡の操作スイッチの機能設定を行う際に用いるスコープスイッチ設定画面を示す説明図、図１６は内視鏡の操作部を示す斜視図、図１７及び図１８は操作者に応じた各周辺装置の設定値を選択するための操作者設定画面を示す説明図、図１９は装置の標準設定値を変更した場合の操作画面を示す説明図、図２０ないし図４１は各操作画面に関する制御処理動作をに示すフローチャートである。
【００１６】
本実施例の内視鏡システムは、図２に示すように、ドクタワークステーション１とナースワークステーション２とからなるシステム本体３と、システムの集中操作を行う集中操作手段としてのコントロールパネル４と、内視鏡画像を表示するモニタ５とを備えて主要部が構成されている。前記システム本体３内には、図３に示すように、内視鏡１１に接続され被検体へ照明光を供給する光源装置１２、内視鏡１１の制御や画像信号の処理を行うビデオシステムセンタ１３、被検部位を焼灼して治療を行う焼灼装置（ヒートプローブ装置）１４、被検部位を切除する電気メス装置１５等が配設されている。また、上下方向等に移動可能な電動ベッド６がシステム本体３の近傍に設けられており、電動ベッド６の側部上方にモニタ５が配置されている。
【００１７】
前記コントロールパネル４は、ドクタワークステーション１の上部に設けられており、液晶ディスプレイ等の表示モニタからなる操作画面表示部と、この操作画面表示部上に密接して設けられた透明のタッチパネル等からなる入力検出部とにより構成されている。この表示モニタにシステム内の周辺装置を操作するための操作スイッチを配置した操作画面を表示し、操作画面の操作スイッチの部分を押す（触れる）ことにより、タッチパネルにより操作指示入力が検出されるようになっている。ここでは、前記タッチパネルはマトリックス状に配置された多数の透明電極のスイッチで構成されており、タッチパネルをスキャンしてどの部分のスイッチが押されたか、スイッチの座標を検出するようになっている。
【００１８】
この内視鏡システムの詳細の構成を図３を参照しながら説明する。なお、図３には内視鏡システムにおける制御系の構成についてのみ示している。システム本体３には、システムを集中的に制御する集中制御手段としてのホストコントローラ１６が設けられており、シリアルインターフェースを制御するシリアルコントローラ１７及びパラレルインターフェースを制御するパラレルコントローラ１８が接続されている。また、ホストコントローラ１６には前記モニタ５が接続されている。
【００１９】
前記ホストコントローラ１６には、シリアルコントローラ１７を介して、シリアルインターフェースライン（シリアルＩ／Ｆライン）１９上に光源装置１２，ビデオシステムセンタ１３，ヒートプローブ装置１４，電気メス装置１５、及び内視鏡画像を記録するビデオテープレコーダ（ＶＴＲ）２０，内視鏡画像を静止画として撮影する撮影装置２１，内視鏡画像を紙に出力するビデオプリンタ２２が接続されている。また、ホストコントローラ１６には、パラレルコントローラ１８を介して、パラレルインターフェースライン（パラレルＩ／Ｆライン）２３上にコントロールパネル４，映像信号をＲＧＢの画像信号に変換するＲＧＢエンコーダ２４，送気や送水等を行うポンプを備えた送気送水装置２５が接続されている。
【００２０】
前記ホストコントローラ１６によって、接続された各装置に対して制御信号の入出力が行われ、装置の動作が制御されるようになっている。ここでは、前記コントロールパネル４あるいは内視鏡１１の操作部に設けられた操作スイッチを操作することによって、ホストコントローラ１６へ操作指示情報が送られ、ホストコントローラ１６より対象の装置に対して制御信号が送出されて装置の制御が行われるようになっている。コントロールパネル４を操作した場合は、前述のように押されたスイッチの座標を検出し、ホストコントローラ１６でスイッチの座標と操作画面とを対応させて画面に表示された操作スイッチに該当する指示の制御信号を周辺装置へ送出する。なお、コントロールパネル４において、表示した操作画面に応じて、押されたスイッチの座標を基に該当する指示をコマンドとしてホストコントローラ１６へ送出し、ホストコントローラ１６より周辺装置へ制御信号を送出するようにしても良い。
【００２１】
前記コントロールパネル４の操作画面は、内視鏡システムの複数の周辺装置を制御するために機能別に分けられた複数の操作画面を有しており、システムを操作する際に最も汎用で用いる操作画面として、図１に示すメイン操作画面３１を表示するようになっている。このメイン操作画面３１は、例えば内視鏡システムの初期動作時に表示して、システムの主要な操作を行えるようになっている。メイン操作画面３１は主に電子内視鏡を接続した場合に用いる各種操作用のスイッチが設けられている。
【００２２】
また、コントロールパネル４には、電子内視鏡使用時の各種設定を行うための図４に示す電子内視鏡設定画面３２、ファイバスコープ使用時に各種操作を行うための図５に示すファイバスコープ操作画面３３、ＶＴＲ２０を操作するための図６に示す外部ビデオ装置操作画面３４、ヒートプローブ装置１４を操作するための図７に示すヒートプローブ装置操作画面３５、電気メス装置１５を操作するための図８に示す電気メス装置操作画面３６が表示されるようになっている。
【００２３】
これらの操作画面は、必要に応じて装置の設定スイッチや使用頻度の少ない操作スイッチを配置した他の操作画面を有しており、これらを階層構造として切り換えて操作を行うようになっている。前記メイン操作画面３１，ファイバスコープ操作画面３３，外部ビデオ装置操作画面３４，ヒートプローブ装置操作画面３５，電気メス装置操作画面３６は、カード形状に構成され、下端部にインデックスとなる見出し部３７がそれぞれ重ならないように台形状に突出して形成されている。見出し部３７は、操作したい目的の装置の操作画面を選択するための操作画面選択部となっており、画面選択スイッチとして、メイン操作画面切換スイッチ（ＥＶＩＳ）４１，ファイバスコープ操作画面切換スイッチ（ＯＥＳ）４２，外部ビデオ装置操作画面切換スイッチ（ＡＵＸ）４３，ヒートプローブ装置操作画面切換スイッチ（ＨＥＡＴ  ＰＲＯＢＥ）４４，電気メス装置操作画面切換スイッチ（ＤＩＡ−ＴＨＥＲＭＹ）４５が設けられている。この操作画面選択部の切換スイッチを選択することにより、選択された操作したい目的の装置の操作画面が表示され、画面上に配置された操作スイッチを押して各種操作を行えるようになっている。
【００２４】
前記見出し部３７の配置や形状を変更した変形例を図９に示す。図９（ａ）は各見出し間の間隔を離して見出し部３７ａを形成した例である。図９（ｂ）はカード形状の操作画面の側端部に見出し部３７ｂを形成した例である。図９（ｃ）は方形状に突出した見出し部３７ｃを形成した例である。図９（ｄ）は三角形状に突出した見出し部３７ｄをカード形状の操作画面の端部に周状に形成した例である。以上のような各種変形例が挙げられるが、操作者が好みに応じて見出し部３７の形式を選択して、操作するのに最適な見出し部を用いるようにすることもできる。
【００２５】
次に、本実施例の内視鏡システムを操作する際の動作について説明する。
操作者は、電子内視鏡あるいはファイバスコープをシステム本体３の光源装置１２，ビデオシステムセンタ１３等に接続して内視鏡による観察、診断を行う。また、ヒートプローブ装置１４に接続されたヒートプローブや、電気メス装置１５に接続された電気メス等を内視鏡のチャンネルに挿通して、治療処置などを行う。このとき、システム本体３に設けられたコントロールパネル４を操作して各周辺装置を集中的に制御する。
【００２６】
図１０はコントロールパネル４より各周辺装置を制御する際の機能構成をブロック図で示したものである。ホストコントローラ１６にコントロールパネル４から操作指示情報が送られると、ホストコントローラ１６はシリアルインターフェース２６を介して該当する周辺装置へ制御信号を送出する。シリアルインターフェース２６には、光源用インターフェース（Ｉ／Ｆ）２７を介して光源装置１２が、ビデオプロセッサ用インターフェース（Ｉ／Ｆ）２８を介してビデオシステムセンタ１３が、電気メス用インターフェース（Ｉ／Ｆ）２９を介して電気メス装置１５が、ヒートプローブ用インターフェース（Ｉ／Ｆ）３０を介してヒートプローブ装置１４がそれぞれ接続されており、各周辺装置はホストコントローラ１６からの制御信号によって集中制御される。
【００２７】
前記コントロールパネル４には、操作画面が表示され、画面上に操作スイッチ、操作状況や動作状態の表示などが設けられる。ここで、操作画面の見出し部３７における画面選択スイッチを選択することによって、操作したい目的の装置の操作画面が瞬時に表示される。また、ホストコントローラ１６には、後述する操作者毎の設定値等を記憶する設定値記憶手段３８が接続されており、操作者毎に適した装置の設定値の入出力が行われる。
【００２８】
以降にコントロールパネル４における各操作画面の詳細の構成及び動作について説明する。また、各操作画面に関する制御処理動作を図２０ないし図４１に示す。
【００２９】
まず、初期動作として、図２０に示す初期設定を行う。システムの電源が投入されると、ステップＳ１（以下、ステップを省略する）で、ホストコントローラ１６は、動作のためのプログラムをロードし、システム内の各周辺装置の設定を前回電源オフしたときの設定にする。なお、本装置を初めて電源オンするときには、メーカで用意した基本設定にする。そして、図１に示すメイン操作画面３１の処理（Ａ）に移る。
【００３０】
図１に示したメイン操作画面３１は、電子内視鏡に関する操作スイッチ群４６が左下部に設けられると共に、後述する操作者設定画面に切換える操作者設定画面切換スイッチ４７、患者データ入力画面に切換える患者データ入力画面切換スイッチ４８が上部に設けられている。前記操作スイッチ群４６を操作することにより、ビデオシステムセンタ１３，光源装置１２，送気送水装置２５等の動作制御が行われる。また、スコープスイッチ設定画面に切換えるスコープスイッチ設定画面切換スイッチ４９が中央左部に、ベッド設定画面に切換えるベッド設定画面切換スイッチ５０が右下部に設けられている。さらに、中央部に電子内視鏡設定画面３２に切換える電子内視鏡設定画面切換スイッチ５１が設けられており、これを押すと図４に示した電子内視鏡設定画面３２に切り換わる。
【００３１】
メイン操作画面の処理（Ａ）を図２１に示す。メイン操作画面３１を表示する場合は、ホストコントローラ１６は、まずＳ２で、メイン操作画面を描画し、Ｓ３で、メイン操作画面３１上に設けられた操作スイッチのキー入力を待つ。操作スイッチが押されると、Ｓ４で、それがメイン操作画面３１上の各機能を指示する機能操作スイッチであるか否かが判断され、機能操作スイッチが押された場合はＳ５に進んで各キーに対応する処理の指示を行い、Ｓ３に戻る。Ｓ４において機能操作スイッチでない場合は、Ｓ６で、押されたスイッチが後述するＨＥＬＰモードスイッチ６８であるか否かが判断され、ＨＥＬＰモードスイッチ６８が押された場合はＳ７に進んでヘルプ処理（ＨＡ）を行い、Ｓ２に戻る。次に、Ｓ８で、押されたスイッチが見出し部３７であるか否かが判断され、見出し部３７が押された場合は図２２に示す操作画面選択処理（Ｚ）を行う。
【００３２】
操作画面選択処理（Ｚ）では、ホストコントローラ１６は、Ｓ１１で、見出し部３７の中のいずれの画面選択スイッチが押されていずれの操作画面が選択されたかを判断し、メイン操作画面切換スイッチ４１が押された場合は図２１のメイン操作画面の処理（Ａ）にそのまま戻る。また、ファイバスコープ操作画面切換スイッチ４２が押された場合はファイバスコープ操作画面処理（Ｂ）に、外部ビデオ装置操作画面切換スイッチ４３が押された場合は外部ビデオ装置操作画面処理（Ｃ）に、ヒートプローブ装置操作画面切換スイッチ４４が押された場合はヒートプローブ装置操作画面処理（Ｄ）に、電気メス装置操作画面切換スイッチ４５が押された場合は電気メス装置操作画面処理（Ｅ）にそれぞれ移行する。
【００３３】
図２１に戻り、Ｓ８において押されたスイッチが見出し部３７でない場合は、Ｓ９で、操作画面を下の階層に移行する指示か否か、すなわち、メイン操作画面３１上の電子内視鏡設定画面切換スイッチ５１等の画面階層を切り換えるスイッチが押されたか否かが判断される。ここで、スコープスイッチ設定画面切換スイッチ４９が押された場合は、スコープスイッチ設定画面処理（ＡＡ）に移る。また、電子内視鏡設定画面切換スイッチ５１が押された場合は電子内視鏡設定画面処理（ＡＢ）に、患者データ入力画面切換スイッチ４８が押された場合は患者データ入力画面処理（ＡＣ）に、操作者設定画面切換スイッチ４７が押された場合は操作者設定画面処理（ＡＤ）に、ベッド設定画面切換スイッチ５０が押された場合はベッド設定画面処理（ＡＥ）にそれぞれ移行する。また、Ｓ４ないしＳ９の判断でいずれもＮＯの場合はＳ１０に進んで図２３に示す各機器からのコマンド受信処理を行い、Ｓ３に戻る。
【００３４】
各機器からのコマンド受信処理では、まずＳ１２で、各周辺装置から送られてくる指示信号（コマンド）が内視鏡の操作スイッチ（スコープスイッチ）からの指示か否かを判断し、スコープスイッチが押された場合には、ホストコントローラ１６はＳ１３で後述するスコープスイッチ設定画面で設定されたスコープスイッチ設定テーブルを参照してスイッチに対応する機能の各種処理を行う。また、Ｓ１４で、各周辺装置からの画面の表示切り換え要求であるか否かが判断され、表示切り換え要求である場合は、Ｓ１５において受信したコマンドの内容に応じて操作画面上の各スイッチの表示を切り換えたり、エラーの場合はエラーメッセージを表示する。例えば、吸引装置の吸引ボトルが一杯になったことを知らせるコマンドが送られてきた場合は、吸引ポンプのスイッチをオフにし、操作画面上の吸引スイッチの絵をオフの表示にする。
【００３５】
次に、電子内視鏡設定画面処理（ＡＢ）について説明する。
【００３６】
メイン操作画面３１において、電子内視鏡の細かな設定、例えば画像の色調や明るさ、送気量等を変更する際に、前記電子内視鏡設定画面切換スイッチ５１を押して電子内視鏡設定画面３２に切換える。電子内視鏡設定画面３２は、電子内視鏡の設定変更を行うための電子内視鏡設定スイッチ群５２が下部に設けられると共に、右上隅部に画面階層アップスイッチ５３が設けられている。この電子内視鏡設定画面３２で設定の調整を終了した後、メイン操作画面３１に戻る場合は、画面階層アップスイッチ５３を押すとメイン操作画面３１に切り換わる。この画面階層アップスイッチ５３は、例えば点滅表示とすることで他のスイッチと区別して視認性を良くすることができる。なお、画面階層アップスイッチ５３を特に設けず、再び電子内視鏡設定画面切換スイッチ５１を押すことによって元のメイン操作画面３１に戻るようにしても良い。
【００３７】
電子内視鏡設定画面処理（ＡＢ）の動作を図２４に示す。ホストコントローラ１６は、まずＳ１６で、電子内視鏡設定画面を描画し、Ｓ１７で、電子内視鏡設定画面３２上に設けられた操作スイッチのキー入力を待つ。操作スイッチが押されると、Ｓ１８で、それが電子内視鏡設定画面３２上の各機能を指示する機能操作スイッチであるか否かが判断され、機能操作スイッチが押された場合はＳ１９に進んで各キーに対応する処理を行い、Ｓ１７に戻る。Ｓ１８において機能操作スイッチでない場合は、Ｓ２０で、押されたスイッチがＨＥＬＰモードスイッチ６８であるか否かが判断され、ＨＥＬＰモードスイッチ６８が押された場合はＳ２１に進んでヘルプ処理（ＨＡＢ）を行い、Ｓ１６に戻る。次に、Ｓ２２で、押されたスイッチが見出し部３７であるか否かが判断され、見出し部３７が押された場合は図２２の操作画面選択処理（Ｚ）を行う。
【００３８】
次いで、Ｓ２３で、画面階層アップスイッチ５３が押されたか否かを判断し、画面階層アップスイッチ５３が押された場合は図２１のメイン操作画面処理（Ａ）に戻る。また、Ｓ２４で、操作画面を下の階層に移行する指示か否かが判断され、操作画面の下の階層への移行が指示された場合は後述する日付設定画面処理（ＡＢＡ）を行う。そして、Ｓ２５で、操作者設定画面切換スイッチ４７が押されたか否かが判断され、操作者設定画面切換スイッチ４７が押された場合は操作者設定画面処理（ＡＤ）を行う。また、Ｓ１８ないしＳ２５の判断でいずれもＮＯの場合はＳ２６に進んで図２３の各機器からのコマンド受信処理を行い、Ｓ１７に戻る。
【００３９】
本実施例では、電子内視鏡設定画面３２で再度電子内視鏡設定画面切換スイッチ５１を押すと、図１１に示す日付け設定画面５４に切り換わる。電子内視鏡設定画面３２において、さらに細かな設定、例えばシステムの日付け、ランプの交換日等を変更する際に、日付け設定画面５４を表示させる。日付け設定画面５４は、日付け等の設定のための設定キー５５が設けられている。また、電子内視鏡設定画面３２と同様に画面階層アップスイッチ５３が設けられ、設定キー５５によって日付け等の設定が終了した後、画面階層アップスイッチ５３を押して上の階層の画面（ここでは電子内視鏡設定画面３２）に戻すことができる。
【００４０】
日付設定画面処理（ＡＢＡ）の動作を図２５に示す。ホストコントローラ１６は、まずＳ２７で、日付け設定画面を描画し、Ｓ２８で、日付け設定画面５４上に設けられた操作スイッチのキー入力を待つ。操作スイッチが押されると、Ｓ２９で、それが日付け設定画面５４上の各機能を指示する機能操作スイッチであるか否かが判断され、機能操作スイッチが押された場合はＳ３０に進んで各キーに対応する処理を行い、Ｓ２８に戻る。Ｓ２９において機能操作スイッチでない場合は、Ｓ３１で、押されたスイッチがＨＥＬＰモードスイッチ６８であるか否かが判断され、ＨＥＬＰモードスイッチ６８が押された場合はＳ３２に進んでヘルプ処理（ＨＡＢＡ）を行い、Ｓ２７に戻る。
【００４１】
次いで、Ｓ３３で、押されたスイッチが見出し部３７であるか否かが判断され、見出し部３７が押された場合は図２２の操作画面選択処理（Ｚ）を行う。そして、Ｓ３４で、画面階層アップスイッチ５３が押されたか否かを判断し、画面階層アップスイッチ５３が押された場合は図２４の電子内視鏡設定画面処理（ＡＢ）に戻る。また、Ｓ２９ないしＳ３４の判断でいずれもＮＯの場合は、Ｓ３５に進んで図２３の各機器からのコマンド受信処理を行い、Ｓ２８に戻る。
【００４２】
前記電子内視鏡設定画面３２や日付け設定画面５４などの下の階層の操作画面においても、メイン操作画面３１等と同様に見出し部３７が設けられている。すなわち、複数のカード形状の操作画面は、見出し部３７が突出して設けられた上の階層の操作画面の下に、下の階層の操作画面が重なったような状態で階層構造をなし、階層間においてカード状の操作画面を順にめくるように画面の表示、切換えが行われる。操作画面選択部としての見出し部３７の操作画面切換スイッチ４１〜４５を選択することにより、現在の操作画面の階層にかかわらず操作したい目的の装置の操作画面がファイルの見出しをめくるように表示される。見出し部３７は、他の操作スイッチと形状が異なるため、視認性が良く、容易に判別が可能である。
【００４３】
ファイバスコープを操作する場合は、見出し部３７のＯＥＳスイッチ４２を押して図５に示したファイバスコープ操作画面３３に切換える。ファイバスコープ操作画面３３は、ファイバスコープに関する操作スイッチ群５６が設けられており、操作スイッチ群５６を操作することにより、光源装置１２，送気送水装置２５等の動作制御が行われる。
【００４４】
ファイバスコープ操作画面処理（Ｂ）の動作を図２６に示す。ホストコントローラ１６は、まずＳ３６で、ファイバスコープ操作画面を描画し、Ｓ３７で、ファイバスコープ操作画面３３上に設けられた操作スイッチのキー入力を待つ。操作スイッチが押されると、Ｓ３８で、それがファイバスコープ操作画面３３上の各機能を指示する機能操作スイッチであるか否かが判断され、機能操作スイッチが押された場合はＳ３９に進んで各キーに対応する処理を行い、Ｓ３７に戻る。Ｓ３８において機能操作スイッチでない場合は、Ｓ４０で、押されたスイッチがＨＥＬＰモードスイッチ６８であるか否かが判断され、ＨＥＬＰモードスイッチ６８が押された場合はＳ４１に進んでヘルプ処理（ＨＢ）を行い、Ｓ３６に戻る。
【００４５】
次に、Ｓ４２で、押されたスイッチが見出し部３７であるか否かが判断され、見出し部３７が押された場合は図２２の操作画面選択処理（Ｚ）を行う。そして、Ｓ４３で、ベッド設定画面切換スイッチ５０が押されたか否かが判断され、ベッド設定画面切換スイッチ５０が押された場合はベッド設定画面処理（ＡＥ）を行う。また、Ｓ４４で、操作者設定画面切換スイッチ４７が押されたか否かが判断され、操作者設定画面切換スイッチ４７が押された場合は操作者設定画面処理（ＡＤ）を行う。また、Ｓ３８ないしＳ４４の判断でいずれもＮＯの場合はＳ４５に進んで図２３の各機器からのコマンド受信処理を行い、Ｓ３７に戻る。
【００４６】
ここで、ベッド設定画面処理（ＡＥ）の動作を図２７に示す。電動ベッド６の操作は、メイン操作画面３１及びファイバスコープ操作画面３３において右下部に設けられた電動ベッド操作部によって可能であり、ベッド設定画面切換スイッチ５０を押すと、ベッド設定画面に切り換わる。ベッド設定画面では、電動ベッド６の位置を操作者毎に設定して設定値を記憶する処理が行われる。ホストコントローラ１６は、まずＳ４６で、ベッド設定画面を描画し、Ｓ４７で、ベッド設定画面上に設けられた操作スイッチのキー入力を待つ。操作スイッチが押されると、Ｓ４８で、それがベッド設定画面上の各機能を指示する機能操作スイッチであるか否かが判断され、機能操作スイッチが押された場合はＳ４９に進んで各キーに対応する処理を行い、Ｓ４７に戻る。Ｓ４８において機能操作スイッチでない場合は、Ｓ５０で、押されたスイッチがＨＥＬＰモードスイッチであるか否かが判断され、ＨＥＬＰモードスイッチが押された場合はＳ５１に進んでヘルプ処理（ＨＡＥ）を行い、Ｓ４６に戻る。
【００４７】
次に、Ｓ５２で、押されたスイッチが見出し部であるか否かが判断され、見出し部が押された場合は図２２の操作画面選択処理（Ｚ）を行う。また、Ｓ５３で、画面階層アップスイッチが押されたか否かを判断し、画面階層アップスイッチが押された場合は図２１のメイン操作画面処理（Ａ）に戻る。また、Ｓ４８ないしＳ５３の判断でいずれもＮＯの場合はＳ５４に進んで図２３の各機器からのコマンド受信処理を行い、Ｓ４７に戻る。
【００４８】
前記Ｓ３９におけるファイバスコープ操作画面の各キー処理の動作を図２８に示す。ファイバスコープ操作画面３３において、例えば右中央部に配置された光源装置の光量調整のモードを切り換えるための  ＡＵＴＯ／ＭＡＮＵＡＬキーが押された場合は、ホストコントローラ１６は、Ｓ５５で、  ＡＵＴＯ／ＭＡＮＵＡＬキーが押されたか否かを判断し、Ｓ５６で、スイッチの表示を自動あるいは手動にトグルで切り換え、Ｓ５７で、モード切り換えのコマンドを光源装置１２に送信する。これにより、光源装置の光量調整のモードが自動あるいは手動に切り換わる。また、ファイバスコープ操作画面３３における他の光源装置関連のスイッチについても同様の処理が行われる。
【００４９】
また、ファイバスコープ操作画面３３の左下部に配置された周辺装置に関連する操作スイッチが押された場合もほぼ同様であり、例えば吸引を指示する  ＳＵＣＴＩＯＮスイッチが押された場合は、ホストコントローラ１６は、Ｓ５８で、  ＳＵＣＴＩＯＮスイッチが押されたか否かを判断し、Ｓ５９で、スイッチの表示をオン状態に切り換え、Ｓ６０で、吸引ポンプをオンするコマンドを送気送水装置２５に送信する。これにより、吸引動作が行われる。なお、他の操作スイッチについても同様の処理が行われる。
【００５０】
ＶＴＲ２０を操作する場合は、見出し部３７のＡＵＸスイッチ４３を押して図６に示した外部ビデオ装置操作画面３４に切換える。外部ビデオ装置操作画面３４は、ＶＴＲ２０の操作スイッチ群５７が設けられており、操作スイッチ群５７を操作することにより、ＶＴＲ２０の動作制御が行われる。
【００５１】
外部ビデオ装置操作画面処理（Ｃ）の動作を図２９に示す。ホストコントローラ１６は、まずＳ６１で、外部ビデオ装置操作画面を描画し、Ｓ６２で、外部ビデオ装置操作画面３４上に設けられた操作スイッチのキー入力を待つ。操作スイッチが押されると、Ｓ６３で、それが外部ビデオ装置操作画面３４上の各機能を指示する機能操作スイッチであるか否かが判断され、機能操作スイッチが押された場合はＳ６４に進んで各キーに対応する処理を行い、Ｓ６２に戻る。Ｓ６３において機能操作スイッチでない場合は、Ｓ６５で、押されたスイッチがＨＥＬＰモードスイッチ６８であるか否かが判断され、ＨＥＬＰモードスイッチ６８が押された場合はＳ６６に進んでヘルプ処理（ＨＣ）を行い、Ｓ６１に戻る。
【００５２】
次に、Ｓ６７で、押されたスイッチが見出し部３７であるか否かが判断され、見出し部３７が押された場合は図２２の操作画面選択処理（Ｚ）を行う。そして、Ｓ６８で、操作者設定画面切換スイッチ４７が押されたか否かが判断され、操作者設定画面切換スイッチ４７が押された場合は操作者設定画面処理（ＡＤ）を行う。また、Ｓ６３ないしＳ６８の判断でいずれもＮＯの場合はＳ６９に進んで図２３の各機器からのコマンド受信処理を行い、Ｓ６２に戻る。
【００５３】
前記Ｓ６４における外部ビデオ装置操作画面の各キー処理の動作を図３０に示す。外部ビデオ装置操作画面３４において、例えば右下部に配置されたＶＴＲの操作スイッチのうちのＳＴＯＰキーが押された場合は、ホストコントローラ１６は、Ｓ７０で、ＳＴＯＰキーが押されたか否かを判断し、Ｓ７１で、スイッチの表示をオン状態に切り換え、Ｓ７２で、停止のコマンドをＶＴＲ２０に送信する。これにより、ＶＴＲが停止する。また、外部ビデオ装置操作画面３４における他のＶＴＲ関連のスイッチについても同様の処理が行われる。
【００５４】
また、外部ビデオ装置操作画面３４の左下部に配置されたビデオプリンタに関連する操作スイッチが押された場合もほぼ同様であり、例えば消去を指示する  ＥＲＡＳＥキーが押された場合は、ホストコントローラ１６は、Ｓ７３で、  ＥＲＡＳＥキーが押されたか否かを判断し、Ｓ７４で、スイッチの表示をオン状態に切り換え、Ｓ７５で、消去のコマンドをビデオプリンタ２２に送信する。これにより、ビデオプリンタ２２のメモリの消去が行われる。なお、他の操作スイッチについても同様の処理が行われる。
【００５５】
ヒートプローブ装置１４を操作する場合は、見出し部３７のＨＥＡＴ  ＰＲＯＢＥスイッチ４４を押して図７に示したヒートプローブ装置操作画面３５に切換える。
【００５６】
ヒートプローブ装置操作画面処理（Ｄ）の動作を図３１に示す。ホストコントローラ１６は、まずＳ７６で、前回ヒートプローブ装置操作画面３５を表示したときにヒートプローブ装置１４の電源がオン状態に設定されていたか否かをメモリ等に記憶されたデータを基に判断し、電源オンに設定されていた場合はＳ７７に進んでヒートプローブ装置１４の電源をオンにしてＳ７８に進む。また、前回電源がオフ状態であったときはＳ７６からそのままＳ７８に進む。
【００５７】
Ｓ７８で、ヒートプローブ装置操作画面を描画し、Ｓ７９で、ヒートプローブ装置操作画面３５上に設けられた操作スイッチのキー入力を待つ。操作スイッチが押されると、Ｓ８０で、それがヒートプローブ装置操作画面３５上の各機能を指示する機能操作スイッチであるか否かが判断され、機能操作スイッチが押された場合はＳ８１に進んで各キーに対応する処理を行い、Ｓ７９に戻る。Ｓ８０において機能操作スイッチでない場合は、Ｓ８２で、押されたスイッチがＨＥＬＰモードスイッチ６８であるか否かが判断され、ＨＥＬＰモードスイッチ６８が押された場合はＳ８３に進んでヘルプ処理（ＨＤ）を行い、Ｓ７８に戻る。
【００５８】
次に、Ｓ８４で、押されたスイッチが見出し部３７であるか否かが判断され、見出し部３７が押された場合はＳ８５に進んでヒートプローブ装置１４の電源をオフした後、図２２の操作画面選択処理（Ｚ）を行う。そして、Ｓ８６で、操作者設定画面切換スイッチ４７が押されたか否かが判断され、操作者設定画面切換スイッチ４７が押された場合は操作者設定画面処理（ＡＤ）を行う。また、Ｓ８０ないしＳ８６の判断でいずれもＮＯの場合はＳ８７に進んで図２３の各機器からのコマンド受信処理を行い、Ｓ７９に戻る。
【００５９】
前記Ｓ８１におけるヒートプローブ装置操作画面の各キー処理の動作を図３２に示す。ヒートプローブ装置操作画面３５において、例えば左中央部に配置されたヒートプローブ装置の出力熱量設定スイッチのうちの５ＪＯＵＬＥＳキーが押された場合は、ホストコントローラ１６は、Ｓ８８で、５ＪＯＵＬＥＳキーが押されたか否かを判断し、Ｓ８９で、スイッチの表示をオン状態に切り換え、Ｓ９０で、出力熱量設定のコマンドをヒートプローブ装置１４に送信する。これにより、ヒートプローブ装置の出力が最小値（５ジュール）に設定される。また、ヒートプローブ装置操作画面３５における他の出力熱量設定スイッチとか送水量の設定スイッチについても同様の処理が行われる。
【００６０】
また、ヒートプローブ装置操作画面３５の右下部に配置されたＯＵＴＰＵＴスイッチが押された場合もほぼ同様であり、ホストコントローラ１６は、Ｓ９１で、ＯＵＴＰＵＴスイッチが押されたか否かを判断し、Ｓ９２で、スイッチの表示をオン状態あるいはオフ状態にトグルで切り換え、Ｓ９３で、ヒートプローブ装置１４の電源のオンオフ操作を行う。
【００６１】
電気メス装置１５を操作する場合は、見出し部３７のＤＩＡ−ＴＨＥＲＭＹスイッチ４５を押して図８に示した電気メス装置操作画面３６に切換える。電気メス装置操作画面３６は、電気メスの出力波形を選択する波形選択部５８及び出力波形を表示する波形表示部５９が設けられており、波形選択部５８によって出力波形を選択すると、選択したスイッチの色が変化して選択状態が確認できると同時に、対応する波形に波形表示部５９の表示も切り換わる。これにより、現在の電気メスの出力状態を容易に認識することができる。
【００６２】
電気メス装置操作画面処理（Ｅ）の動作を図３３に示す。ヒートプローブ装置操作画面の場合と同様に、ホストコントローラ１６は、まずＳ９４で、前回電気メス装置操作画面３６を表示したときに電気メス装置１５の電源がオン状態に設定されていたか否かをメモリ等に記憶されたデータを基に判断し、電源オンに設定されていた場合はＳ９５に進んで電気メス装置１５の電源をオンにしてＳ９６に進む。また、前回電源がオフ状態であったときはＳ９４からそのままＳ９６に進む。
【００６３】
Ｓ９６で、電気メス装置操作画面を描画し、Ｓ９７で、電気メス装置操作画面３６上に設けられた操作スイッチのキー入力を待つ。操作スイッチが押されると、Ｓ９８で、それが電気メス装置操作画面３６上の各機能を指示する機能操作スイッチであるか否かが判断され、機能操作スイッチが押された場合はＳ９９に進んで各キーに対応する処理を行い、Ｓ９７に戻る。Ｓ９８において機能操作スイッチでない場合は、Ｓ１００で、押されたスイッチがＨＥＬＰモードスイッチ６８であるか否かが判断され、ＨＥＬＰモードスイッチ６８が押された場合はＳ１０１に進んでヘルプ処理（ＨＥ）を行い、Ｓ９６に戻る。
【００６４】
次に、Ｓ１０２で、押されたスイッチが見出し部３７であるか否かが判断され、見出し部３７が押された場合はＳ１０３に進んで電気メス装置１５の電源をオフした後、図２２の操作画面選択処理（Ｚ）を行う。そして、Ｓ１０４で、操作者設定画面切換スイッチ４７が押されたか否かが判断され、操作者設定画面切換スイッチ４７が押された場合は操作者設定画面処理（ＡＤ）を行う。また、Ｓ９８ないしＳ１０４の判断でいずれもＮＯの場合はＳ１０５に進んで図２３の各機器からのコマンド受信処理を行い、Ｓ９７に戻る。
【００６５】
前記Ｓ９９における電気メス装置操作画面の各キー処理の動作を図３４に示す。電気メス装置操作画面３６において、例えば下部に配置された電気メス装置のモード切り換えスイッチのうちの  ＣＵＴキーが押された場合は、ホストコントローラ１６は、Ｓ１０６で、  ＣＵＴキーが押されたか否かを判断し、Ｓ１０７で、スイッチの表示をオン状態に切り換え、Ｓ１０８で、出力波形を  ＣＵＴモード（切除モード）に設定するコマンドを電気メス装置１５に送信する。これにより、電気メス装置１５の出力が  ＣＵＴモードに設定される。また、電気メス装置操作画面３６における他のモード設定スイッチとか出力設定スイッチについても同様の処理が行われる。
【００６６】
また、電気メス装置操作画面３６の右下部に配置されたＯＵＴＰＵＴスイッチが押された場合もほぼ同様であり、ホストコントローラ１６は、Ｓ１０９で、ＯＵＴＰＵＴスイッチが押されたか否かを判断し、Ｓ１１０で、スイッチの表示をオン状態あるいはオフ状態にトグルで切り換え、Ｓ１１１で、電気メス装置１５の電源のオンオフ操作を行う。
【００６７】
前記メイン操作画面３１，電子内視鏡設定画面３２，ファイバスコープ操作画面３３，外部ビデオ装置操作画面３４，ヒートプローブ装置操作画面３５，電気メス装置操作画面３６において、各画面中の線で区分されたスイッチ群は、機能の分野別にまとめられており、機能毎にスイッチ群の背景色を変えて同じ機能は同一の背景色とすることにより、容易に操作スイッチの機能が判別できるようにしている。
【００６８】
また、メイン操作画面３１やファイバスコープ操作画面３３等には、装置の各種設定値とか動作状態を表示する設定状態表示部６０が設けられている。設定状態表示部６０は、大まかな値をバーグラフ等の大小によってアナログ的に表示するアナログ表示部６１と、具体的な値をデジタル値で表示するデジタル表示部６２とからなっている。この設定状態表示部６０において、操作者によって入力あるいは選択された設定値等に応じたアナログ表示及びデジタル表示値が表示される。ここでは、アナログ表示部６１の表示は、例えば値が大きくなるほど指標が長くなり、また値により色が変化するようにしている。このように、アナログ表示とデジタル表示とを併用することによって、アナログ表示により視認性良く直感的に値を認識できると共に、デジタル表示により精度の高い具体的な値を得ることができ、正確に装置の各種設定を行うことができる。
【００６９】
前記設定状態表示部としては、ヒートプローブ装置操作画面３５や電気メス装置操作画面３６のように、階段状に配置されたスイッチと表示部とを兼ねた設定状態表示部６３とすることもできる。設定状態表示部６３は、設定値に対応するスイッチの部分を直接選択するとスイッチの色が変化することで、現在の設定状態が表示される。このように設定状態表示部６３を値の大小に対応してスイッチ及び表示部を配置した階段状のものとしたため、設定状態の視認性に優れていると共に、所望の設定値を直接選択でき、瞬時に操作性良く設定を行うことができる。
【００７０】
一方、前記メイン操作画面３１において、患者データ入力画面切換スイッチ４８を押すと、図１２に示す患者データ入力画面（１）６４に切り換わる。患者データ入力画面（１）６４に表示された各キーを押すことにより、任意の小文字のアルファベット及び数字を患者データとして入力することができる。また、任意の大文字を入力する場合は、ＣＡＰＳキー６６を押して図１３に示す患者データ入力画面（２）６５に切換える。この患者データ入力画面（２）６５では、各キーの表示が大文字となっており、任意の大文字のアルファベット及び数字を患者データとして入力することができる。また、患者データ入力画面６４及び６５において、  ＳＨＩＦＴキー６７を押すことにより、各キーの上側に表示された文字を入力することができる。すなわち、患者データ入力画面（１）６４，（２）６５は、通常のキーボードと同様の機能を有しており、同様の操作で入力を行うことができる。データ入力後、画面階層アップスイッチ５３を押すとメイン操作画面３１に戻る。
【００７１】
患者データ入力画面処理（ＡＣ）の動作を図３５に示す。ホストコントローラ１６は、まずＳ１１２で、患者データ入力画面を描画し、Ｓ１１３で、患者データ入力画面（１）６４，（２）６５上に設けられた操作スイッチのキー入力を待つ。操作スイッチが押されると、Ｓ１１４で、それが患者データ入力画面上の各機能を指示する機能操作スイッチであるか否かが判断され、機能操作スイッチが押された場合はＳ１１５に進んで各キーに対応する処理を行い、Ｓ１１３に戻る。Ｓ１１４において機能操作スイッチでない場合は、Ｓ１１６で、押されたスイッチがＨＥＬＰモードスイッチ６８であるか否かが判断され、ＨＥＬＰモードスイッチが押された場合はＳ１１７に進んでヘルプ処理（ＨＡＣ）を行い、Ｓ１１２に戻る。
【００７２】
次に、Ｓ１１８で、押されたスイッチが見出し部３７であるか否かが判断され、見出し部３７が押された場合は図２２の操作画面選択処理（Ｚ）を行う。また、Ｓ１１９で、画面階層アップスイッチ５３が押されたか否かを判断し、画面階層アップスイッチが押された場合は図２１のメイン操作画面処理（Ａ）に戻る。また、Ｓ１１４ないしＳ１１９の判断でいずれもＮＯの場合はＳ１２０に進んで図２３の各機器からのコマンド受信処理を行い、Ｓ１１３に戻る。
【００７３】
前記Ｓ１１５における患者データ入力画面の各キー処理の動作を図３６に示す。ホストコントローラ１６は、Ｓ１２１で、患者データ入力画面（１）６４，（２）６５において  ＳＨＩＦＴキー６７が押されたか否かを判断し、  ＳＨＩＦＴキー６７が押された場合はＳ１２２に進んで各キーの上側に表示された文字を入力するシフトモードに切り換える。また、Ｓ１２３で、患者データ入力画面（１）６４においてＣＡＰＳキー６６が押されたか否かを判断し、ＣＡＰＳキー６６が押された場合はＳ１２４に進んで患者データ入力画面（２）６５に画面を書き換える。そして、Ｓ１２５で、“Ａ”のキーが押されたか否かを判断し、押されたキーが“Ａ”の場合にはＳ１２６に進んで“Ａ”を入力する。なお、他の各種文字の入力についても同様の処理を行う。また、Ｓ１２７で、患者データ入力画面の右中央部に配置されている矢印で表記されたリターンキーが押されたか否かを判断し、リターンキーが押された場合はＳ１２８に進んで入力文字列をビデオシステムセンタ１３に送信する。また、患者データ入力画面において上部等に配置された他の各種コマンドを送信するためのキーが押された場合についても、同様に各キーに対応するコマンドの送信処理が行われる。
【００７４】
また、前記メイン操作画面３１，電子内視鏡設定画面３２，ファイバスコープ操作画面３３，外部ビデオ装置操作画面３４，ヒートプローブ装置操作画面３５，電気メス装置操作画面３６等には、右下隅部にＨＥＬＰモードスイッチ６８が設けられており、ＨＥＬＰモードスイッチ６８を押すと、図１４に示すような装置の操作説明を行うＨＥＬＰモード画面６９に切り換わる。ＨＥＬＰモード画面６９は、通常の操作画面の上に説明表示部７０が重なった状態で表示される。図１４は、メイン操作画面３１においてＨＥＬＰモードスイッチ６８を押した後に、  ＡＩＲ  ＯＦＦスイッチ７１を押したときの画面であり、ＨＥＬＰモードでは操作スイッチに該当する動作ではなく、スイッチを押したときの動作の説明が説明表示部７０に表示される。
【００７５】
説明表示部７０は、右下部に設けられた確認スイッチ７２を押すことにより消去され、別の操作スイッチを押せばそのスイッチの説明が説明表示部７０に表示される。また、ＨＥＬＰモード時には右下隅部にＣＡＮＣＥＬスイッチ７３が設けられており、ＣＡＮＣＥＬスイッチ７３を押すことによりＨＥＬＰモードが解除され、通常の動作モード及び操作画面に戻る。
【００７６】
ヘルプ処理（ＨＡ）の動作を図３７に示す。なお、前述した各操作画面におけるヘルプ処理はほぼ同様であり、ここではメイン操作画面３１におけるヘルプ処理（ＨＡ）を例にとって説明する。
【００７７】
ホストコントローラ１６は、まずＳ１２９で、ＨＥＬＰモード画面６９の表示を行い、Ｓ１３０で、画面上の操作スイッチのキー入力を待つ。そして、Ｓ１３１で、ＣＡＮＣＥＬスイッチ７３が押されたか否かを判断し、ＣＡＮＣＥＬスイッチ７３が押された場合はＨＥＬＰモードを解除して元の操作画面に戻る。また、Ｓ１３２で、その他のスイッチが押されたかを判断し、Ｓ１３３で、押されたスイッチに対応する説明を表示してＳ１３０に戻る。また、一旦スイッチの説明表示がなされている場合に、Ｓ１３２で確認スイッチが押されたときは、Ｓ１３３でスイッチの説明を消去してＳ１３０に戻る。
【００７８】
なお、ＨＥＬＰモード画面６９は、説明表示部７０を階層構造とし、説明表示部７０内により詳細な説明を表示したり他の操作スイッチとのリンクの説明を表示可能とするためのスイッチ等を設けることもできる。また、ＨＥＬＰモードスイッチ６８を全ての操作画面に設け、ＨＥＬＰモードに切換えて操作の説明を行えるようにすることもできる。
【００７９】
次に、内視鏡の操作部に設けられた操作スイッチの機能設定について説明する。メイン操作画面３１において、スコープスイッチ設定画面切換スイッチ４９を押すと、図１５に示すスコープスイッチ設定画面７４に切り換わる。このスコープスイッチ設定画面７４で内視鏡の操作スイッチの機能設定を行うことができる。図１６に示すように、内視鏡の操作部８３には４つの操作スイッチ（Ａ）８５，（Ｂ）８６，（Ｃ）８７，（Ｄ）８８が設けられており、これに対応してスコープスイッチ設定画面７４には内視鏡操作部の絵が表示され、スイッチ選択キー７５，７６，７７，７８が設けられている。また、後述する拡張モードにおいて  ＳＨＩＦＴスイッチを併用する際の機能を設定するための  ＳＨＩＦＴ選択キー７９が設けられている。そして、スコープスイッチ設定画面７４の下側部には、機能選択キー群８０が配設されている。また、右上隅部には決定キー８１が設けられている。
【００８０】
本実施例では、内視鏡の操作スイッチの機能設定には、各スイッチに１つずつ合計４種類の機能を設定する基本モードと、ある特定の１つのスイッチに  ＳＨＩＦＴの機能を割り当て、この  ＳＨＩＦＴスイッチと他の３つのスイッチとを併用して合計６種類の機能を設定する拡張モードとが用意されている。
【００８１】
基本モードで機能を設定する場合、例えば内視鏡の操作スイッチ（Ａ）８５について設定するときは、まず、対応するスイッチ選択キー７５を押すとキーの枠の色が変わってスイッチが選択される。次に、設定したい機能を機能選択キー群８０の中から選択し、該当するキーを押して操作スイッチ（Ａ）８５に所望の機能を設定する。他の操作スイッチ８６〜８８についても同様の操作で機能を設定することができる。
【００８２】
拡張モードで機能を設定する場合は、まず操作スイッチ８５〜８８のいずれかに  ＳＨＩＦＴキー８２の機能を割り当てる。例えば操作スイッチ（Ｃ）８７に  ＳＨＩＦＴの機能を割り当てると、操作スイッチ（Ａ）８５，（Ｂ）８６，（Ｄ）８８をそれぞれ単独に押した場合と、操作スイッチ（Ｃ）８７を先に押しながら操作スイッチ（Ａ）８５，（Ｂ）８６，（Ｄ）８８を押した場合とでそれぞれ別の機能を設定することができ、合計６種類の機能について内視鏡の操作スイッチ８５〜８８から操作することができる。
【００８３】
操作スイッチ（Ｃ）８７に  ＳＨＩＦＴの機能を割り当てるには、まずスイッチ選択キー７７を押して操作スイッチ（Ｃ）８７を選択し、次に  ＳＨＩＦＴキー８２を押して操作スイッチ（Ｃ）８７を  ＳＨＩＦＴスイッチに設定する。そして、例えば操作スイッチ（Ａ）８５に  ＲＥＬＥＡＳＥ，操作スイッチ（Ｃ）８７＋（Ａ）８５に  ＷＡＴＥＲの機能をそれぞれ設定するには、まずスイッチ選択キー７５を押して操作スイッチ（Ａ）８５を選択し、機能選択キー群８０の中の  ＲＥＬＥＡＳＥキーを押して操作スイッチ（Ａ）８５単独の機能を設定する。次に  ＳＨＩＦＴ選択キー７９を押し、機能選択キー群８０の中の  ＷＡＴＥＲキーを押して操作スイッチ（Ｃ）８７＋（Ａ）８５の機能を設定する。これにより、操作スイッチ（Ａ）８５について２種類の機能が設定される。他の操作スイッチ（Ｂ）８６，（Ｄ）８８についても同様の操作で機能を設定することができる。
【００８４】
内視鏡の各操作スイッチについて機能設定が終了した後、決定キー８１を押すことによって操作スイッチの機能が確定し、メイン操作画面３１に戻る。メイン操作画面３１には、内視鏡操作部の絵と共に設定された操作スイッチの機能が表示されている。各操作スイッチに設定された機能を示すスコープスイッチ設定テーブルは、例えばホストコントローラ１６内のメモリに記憶される。
【００８５】
スコープスイッチ設定画面処理（ＡＡ）の動作を図３８に示す。ホストコントローラ１６は、まずＳ１３４で、スコープスイッチ設定画面を描画し、Ｓ１３５で、スコープスイッチ設定画面７４上に設けられた操作スイッチのキー入力を待つ。操作スイッチが押されると、Ｓ１３６で、それがスコープスイッチ設定画面上の各機能を指示する機能操作スイッチであるか否かが判断され、機能操作スイッチが押された場合はＳ１３７に進んで各キーに対応する処理を行い、Ｓ１３５に戻る。Ｓ１３６において機能操作スイッチでない場合は、Ｓ１３８で、押されたスイッチがＨＥＬＰモードスイッチ６８であるか否かが判断され、ＨＥＬＰモードスイッチが押された場合はＳ１３９に進んで前述と同様のヘルプ処理（ＨＡＡ）を行い、Ｓ１３４に戻る。
【００８６】
次に、Ｓ１４０で、押されたスイッチが見出し部３７であるか否かが判断され、見出し部３７が押された場合は図２２の操作画面選択処理（Ｚ）を行う。そして、Ｓ１４１で、画面階層アップスイッチ（ここでは決定キー８１）が押されたか否かを判断し、決定キーが押された場合は図２１のメイン操作画面処理（Ａ）に戻る。また、Ｓ１４２で、操作者設定画面切換スイッチ４７が押されたか否かが判断され、操作者設定画面切換スイッチ４７が押された場合は操作者設定画面処理（ＡＤ）を行う。また、Ｓ１３６ないしＳ１４２の判断でいずれもＮＯの場合はＳ１４３に進んで図２３の各機器からのコマンド受信処理を行い、Ｓ１３５に戻る。
【００８７】
前記Ｓ１３７におけるスコープスイッチ設定画面の各キー処理の動作を図３９に示す。スコープスイッチ設定画面７４において、例えば内視鏡の操作スイッチ（Ａ）に機能を設定するための選択キー７５が押された場合には、ホストコントローラ１６は、Ｓ１４４で、操作スイッチ（Ａ）への設定が選択されたか否かを判断し、操作スイッチ（Ａ）への設定の場合には、Ｓ１４５で、スコープスイッチ設定テーブルにおいて設定機能の入力先のテーブルを（Ａ）にセットする。また、操作スイッチ（Ｂ），（Ｃ），（Ｄ）についても同様に行う。そして、Ｓ１４６で、  ＳＨＩＦＴキー８２が押されたか否かを判断し、  ＳＨＩＦＴキー８２が押された場合はＳ１４７に進んで基本モードと拡張モードとをトグルで切り換える。
【００８８】
次に、機能選択キー群８０の中から例えば  ＲＥＬＥＡＳＥキーが押された場合は、Ｓ１４８で、  ＲＥＬＥＡＳＥキーが押されたか否かを判断し、Ｓ１４９で、操作スイッチ（Ａ）の機能として入力先のテーブルに“  ＲＥＬＥＡＳＥ”を設定する。また、他の機能選択キーが押された場合にも同様の処理を行う。
【００８９】
内視鏡操作部８３の操作スイッチ８５〜８８の指示情報は、図３において、内視鏡１１からビデオシステムセンタ１３に送出され、シリアルコントローラ１７を介してホストコントローラ１６にコマンドで送られる。そして、ホストコントローラ１６は、設定された機能に対応する指示を該当する装置に対して送出し、内視鏡操作部８３の操作スイッチ８５〜８８による装置の制御が行われる。
【００９０】
このように、内視鏡操作部８３の操作スイッチ８５〜８８に所望の機能を設定でき、内視鏡の操作スイッチから周辺装置を制御できる。また、機能の設定変更も容易に行うことができる。
【００９１】
次に、操作者毎に設定可能な周辺装置の設定について説明する。
本実施例では、操作者毎に所望の値に設定した各周辺装置の設定値を記憶し、操作者の変更に伴って設定値を読み出して直ちに所定の設定値に変更できるようにしている。各周辺装置の設定値を変更する場合は、メイン操作画面３１等に設けられた操作者設定画面切換スイッチ４７を押すことにより、図１７に示すような操作者設定画面９０に切換える。操作者設定画面切換スイッチ４７は、設定値変更の可能性がある操作画面、すなわち、日付け設定画面５４，患者データ入力画面（１）６４，（２）６５を除いた全ての操作画面に設けられており、操作者設定画面９０を直ちに呼び出せるようにしている。
【００９２】
操作者設定画面９０は、操作者名を選択する操作者名選択スイッチ部９１が設けられており、操作者名選択スイッチ部９１の中より操作者名を選択することによって、操作者毎に設定された各周辺装置の設定値が呼び出されるようになっている。操作者名を選択した後、画面階層アップスイッチ５３を押すと元の操作画面に切り換わる。操作画面には、例えば図４に示す電子内視鏡設定画面３２のように、操作者名表示部９２に現在の設定値の操作者名が表示される。また、操作者設定画面９０において、新規に操作者名を入力する場合は新規入力キー９４を押すことにより、患者データ入力画面（１）６４と同様の入力画面を表示してデータ入力を行う。操作者名を削除する場合は、削除キー９５を押すと削除される。
【００９３】
前述した操作者毎の設定について図１０を参照しながら説明する。操作者名選択後、例えば電子内視鏡設定画面３２において光源装置１２の光量とかビデオシステムセンタ１３の色調等を設定すると、その設定値はホストコントローラ１６へ送られる。ホストコントローラ１６はシリアルインターフェース２６にコマンドを送り、光量の設定値は光源用Ｉ／Ｆ２７を介して光源装置１２に送られ、色調の設定値はビデオプロセッサ用Ｉ／Ｆ２８を介してビデオシステムセンタ１３に送られ、各装置が制御される。これと同時に、ホストコントローラ１６は設定値を設定値記憶手段３８へ送出し、操作者名に対応させて設定値を記憶する。設定値記憶手段３８では、選択されて操作者名表示部９２に表示された操作者毎に、送られてきた設定値を記憶する。
【００９４】
このように操作者毎に記憶された設定値は、操作者設定画面９０の操作者名選択スイッチ部９１で操作者名を選択することによって、ホストコントローラ１６により呼び出され、ホストコントローラ１６は各周辺装置を再設定すると共に、選択された設定値に対応する操作者名を操作者名表示部９２に表示し、操作画面中の設定状態表示も変更する。
【００９５】
操作者設定画面処理（ＡＤ）の動作を図４０に示す。ホストコントローラ１６は、まずＳ１５０で、操作者設定画面を描画し、Ｓ１５１で、操作者設定画面９０上に設けられた操作スイッチのキー入力を待つ。操作スイッチが押されると、Ｓ１５２で、それが操作者設定画面９０上の各機能を指示する機能操作スイッチであるか否かが判断され、機能操作スイッチが押された場合はＳ１５３に進んで各キーに対応する処理を行い、Ｓ１５１に戻る。Ｓ１５２において機能操作スイッチでない場合は、Ｓ１５４で、押されたスイッチがＨＥＬＰモードスイッチ６８であるか否かが判断され、ＨＥＬＰモードスイッチ６８が押された場合はＳ１５５に進んで前述と同様のヘルプ処理（ＨＡＤ）を行い、Ｓ１５０に戻る。
【００９６】
次に、Ｓ１５６で、押されたスイッチが見出し部３７であるか否かが判断され、見出し部３７が押された場合は図２２の操作画面選択処理（Ｚ）を行う。また、Ｓ１５７で、画面階層アップスイッチ５３が押されたか否かを判断し、画面階層アップスイッチが押された場合は図２１のメイン操作画面処理（Ａ）に戻る。なお、ここで、メイン操作画面処理（Ａ）に戻らず、操作者設定画面に切り換える前の操作画面に戻るようにしても良い。
【００９７】
また、Ｓ１５８で、操作画面を下の階層に移行する指示か否か、すなわち、新規入力キー９４が押されたか否かが判断され、新規入力キー９４が押された場合は新規入力画面処理（ＡＤＡ）を行う。この新規入力画面処理（ＡＤＡ）は、図３５及び図３６に示した患者データ入力画面処理（ＡＣ）と同様の処理を行う。そして、Ｓ１５２ないしＳ１５８の判断でいずれもＮＯの場合はＳ１５９に進んで図２３の各機器からのコマンド受信処理を行い、Ｓ１５１に戻る。
【００９８】
従来では各周辺装置の設定値は操作者が変わる毎に再入力する必要があり、例えば一日の症例数が多くて何人もの操作者が交代で診断、治療処置等を行う場合は、操作者が変わる毎に自分の好みに合わせて設定値を変えるなどの煩雑な操作を要したり、他人の設定値と気付かずに装置を使用して自分の意図した動作と異なる動作をしてしまうなどの不具合があったが、本実施例によれば、操作者は検査毎に設定値を確認したり、再設定したりする必要がなく、一旦自分の設定値を記憶させた後は、自分の名前を操作者設定画面９０で選択するだけで各周辺装置の設定を容易に行うことができる。
【００９９】
また、図１８に示すように、操作者設定画面９０ａにおいて、標準設定値を選択する標準設定選択スイッチ９３を設け、システムで標準的に使用する設定値を設定値記憶手段３８に記憶しておくようにすることもできる。この標準設定選択スイッチ９３を選択することによって、設定値記憶手段３８より標準設定値が呼び出され、標準設定値に各周辺装置が設定される。これと共に、操作画面には、例えば図１に示すメイン操作画面３１のように、操作者名表示部９２に標準設定状態を表すＳＴＡＮＤＡＲＤ  ＳＥＴＴＩＮＧが表示され、標準設定状態であることが容易に認識できる。
【０１００】
前述した操作者設定画面処理中のＳ１５３における操作者設定画面の各キー処理の動作を図４１に示す。操作者設定画面において、標準設定選択スイッチ９３が設けられている場合は、ホストコントローラ１６は、Ｓ１６０で、標準設定選択スイッチ９３が押されたか否かを判断し、Ｓ１６１で、スイッチの表示をオン状態に切り換え、Ｓ１６２で、各周辺装置の標準設定値（固定値）を読み出し、Ｓ１６３で、標準設定値への設定コマンドを各装置に送信する。また、操作者名選択スイッチ部９１中のある操作者の選択スイッチが押された場合は、Ｓ１６４で、その操作者の選択スイッチが押されたか否かを判断し、Ｓ１６５で、スイッチの表示をオン状態に切り換え、Ｓ１６６で、対応する操作者の設定値を設定値記憶手段３８のテーブルから読み出し、Ｓ１６７で、読み出した設定値に応じた設定コマンドを各装置に送信する。他の操作者の選択スイッチについても同様の処理を行う。
【０１０１】
なお、標準設定状態において設定値が変更された場合は、図１９に示すように、操作画面の操作者名表示部９２に標準設定値が変更されたことを示すＮＯＴ  ＳＴＡＮＤＡＲＤ  ＳＥＴＴＩＮＧを表示する。これにより、検査中に故意もしくは誤って標準設定値が変更された場合に、操作者に告知、警告することができる。
【０１０２】
このように、標準設定値を設けることにより、装置の使用に慣れていない操作者であっても標準設定値を選択して容易に不具合なく使用することができる。また、学会発表等で見受けられるように、複数のシステムや操作者で同条件の使用状態が必要となる場合には標準設定値を用いることで容易に対処することができる。
【０１０３】
以上のように、本実施例によれば、見出し部３７の操作画面切換スイッチ４１〜４５を選択することにより、現在の操作画面の階層にかかわらず即時に所望の他の操作画面を表示することができる。従って、操作画面を順に切換えるなどの不要な操作をなくすことができ、内視鏡システムによる診断、治療処置時における操作性を向上することができるため、操作に不慣れな操作者でも容易に内視鏡システムを使用して診断、治療処置を行うことができる。
【０１０４】
コントロールパネルに表示される操作画面は、機能毎や装置毎に設けられた複数の操作画面を持ち、制御する周辺装置の機能に対応した画面を選択的に表示可能になっているため、コントロールパネルによって多くの機能を操作性良く容易に操作でき、誤操作を防止できる。
【０１０５】
また、前記操作画面切換スイッチ４１〜４５は見出し部３７に設けられており、他の操作スイッチとは異なる形状となっているため、視認性が良く、また識別が容易で誤操作を防止できる。
【０１０６】
さらに、装置の各種設定値等を表示する設定状態表示部６０は、アナログ表示とデジタル表示とを併用しているため、アナログ表示により視認性良く直感的に値を認識できると共に、これに連動した設定値のデジタル表示によって精度の高い具体的な数値を容易に認識できる。よって、精密さが要求される場合においても正確に装置の各種設定を行うことができ、内視鏡検査における安全性を確保することができる。
【０１０７】
また、内視鏡操作部の操作スイッチに複数の任意の機能を設定し、操作画面にスイッチの機能を表示することができるため、設定された機能を確認し易く、誤操作することなく内視鏡操作部によって所望の機能を操作できる。
【０１０８】
また、各周辺装置の設定値は、操作者毎に所望の値を設定して記憶することができ、操作者を選択することによって容易に設定を変更することができるため、検査毎に設定値を確認したり、再設定したりする必要がなく、直ちに自分の設定値で装置を操作することができ、操作性を向上できる。
【０１０９】
さらに、各周辺装置の標準設定値が記憶されており、簡単に標準設定にすることができるため、装置の使用に不慣れな操作者でも容易に内視鏡システムを操作することができる。
【０１１０】
図４２ないし図４５は本発明の第２実施例に係り、図４２は内視鏡システムの全体構成を示す斜視図、図４３はメイン操作画面を示す説明図、図４４は操作画面上のスイッチの配置を設定するための操作スイッチ配置設定画面を示す説明図、図４５はスコープスイッチ及びフットスイッチの機能設定をするためのスコープ・フットスイッチ設定画面を示す説明図である。
【０１１１】
第２実施例は、内視鏡システムのコントロールパネル４に表示される操作画面の変形例である。図４２に示すように、内視鏡システムは第１実施例と同様にドクタワークステーション１とナースワークステーション２とからなるシステム本体３と、システムの集中操作を行う集中操作手段としてのコントロールパネル４と、内視鏡画像を表示するモニタ５とを備えて主要部が構成されている。また、本実施例では、設定された所定の機能を指示入力するためのフットスイッチ１０１が、システム本体３に対して接続可能になっている。
【０１１２】
第１実施例と同様に、ホストコントローラ１６の制御によって、コントロールパネル４に操作画面が表示され、このコントロールパネル４上の各操作画面を操作することによって、内視鏡システムの各周辺装置を集中操作及び集中制御できるようになっている。
【０１１３】
本実施例では、コントロールパネル４上に表示される操作画面として、図４３に示すメイン操作画面１０２、操作画面上のスイッチの配置を設定するための図４４に示す操作スイッチ配置設定画面１０３、スコープスイッチ及びフットスイッチの機能設定をするための図４５に示すスコープ・フットスイッチ設定画面１０４等が表示されるようになっている。他の周辺装置に関連する操作画面については第１実施例と同様であり、説明を省略する。
【０１１４】
システムの電源を投入すると、コントロールパネル４にメイン操作画面１０２が表示され、電子内視鏡に関する操作等が可能となる。
【０１１５】
メイン操作画面１０２は、内視鏡の操作スイッチ及びフットスイッチに設定した機能を表示する機能設定表示部１０５が左中央部に、内視鏡や周辺装置に関する任意の機能の操作スイッチを表示する操作スイッチ表示部１０６が下側部に、また、操作者名表示部９２、操作者設定画面切換スイッチ４７が上側部に少なくとも設けられて構成されている。また、スコープ・フットスイッチ設定画面１０４に切り換えるためのスコープ・フットスイッチ設定画面切換スイッチ１０７、操作スイッチ配置設定画面１０３に切り換えるための操作スイッチ配置設定画面切換スイッチ１０８が設けられ、これらの切換スイッチを押すことによってそれぞれの設定画面に切り換わる。
【０１１６】
メイン操作画面１０２の操作スイッチ表示部１０６における操作スイッチの機能設定について説明する。
【０１１７】
メイン操作画面１０２において、操作スイッチ配置設定画面切換スイッチ１０８を押すことにより、図４４の操作スイッチ配置設定画面１０３に切り換わる。操作スイッチ配置設定画面１０３は、機能選択キー群１０９が中央部に設けられ、その下側部に配置設定キー群１１０が設けられている。また、右下部にメイン操作画面１０２に戻るための画面階層アップスイッチ１１１が設けられている。
【０１１８】
本実施例では、操作スイッチ配置設定画面１０３によって、任意の機能スイッチを選択し、選択した機能の操作スイッチをメイン操作画面１０２の操作スイッチ表示部１０６において所望の位置に配置することができるようになっている。この操作スイッチ表示部１０６に配置する操作スイッチは、操作者毎に設定可能である。
【０１１９】
操作スイッチの配置を設定する場合は、まず、操作者設定画面切換スイッチ４７を押して第１実施例と同様に操作者設定画面９０で操作者を設定する。すると、操作者名表示部９２に設定を行う操作者名が表示される。そして、操作スイッチ配置設定画面切換スイッチ１０８を押すことにより操作スイッチ配置設定画面１０３に切り換える。なお、操作者の設定は、操作スイッチ配置設定画面１０３上においても行うことができる。
【０１２０】
そして、配置設定キー群１１０の中から所望の位置のキーを押す。すると、押されたキーの部分は、他のキーに比べて目立つ色に変わり、選択されたキーの位置が容易に判別可能となる。次に、操作者は、この指定した位置に、自分にとって使用頻度が高いなどの理由で、メイン操作画面１０２の操作スイッチ表示部１０６に表示したい機能の操作スイッチを機能選択キー群１０９の中から一つ選んで押す。これにより、操作スイッチ表示部１０６の所定の位置に選択した機能の操作スイッチが設定されて表示されるようになる。
【０１２１】
前記操作を所望の数だけ繰り返し、スイッチの選択が終了した後、画面階層アップスイッチ１１１を押すことにより、メイン操作画面１０２に戻る。メイン操作画面１０２の操作スイッチ表示部１０６には、操作者自身の好みで選んだスイッチのみが最大で７個、最小で０個表示されることになる。図４３に示した例では、操作者名表示部９２に表示してある  Ｄｒ．Ｋａｗａｈａｒａの設定は、操作スイッチ表示部１０６に左端から  Ｗａｔｅｒ，ＡＩＲ  ，ＶＴＲ  の各操作スイッチが割り振られており、設定された各操作スイッチを操作するとスイッチの機能に対応した指示が目的の装置に送られ、各機能が動作する。
【０１２２】
また、操作スイッチ配置設定画面１０３において、機能選択次ページスイッチ１１２を押すことにより、機能選択キー群１０９に表示されている以外の機能操作スイッチが同様に表示され、この中から機能を選択することができる。これにより、より多数の機能をメイン操作画面１０２の操作スイッチ表示部１０６に設定することが可能となる。なお、この機能選択キー群１０９のページ数は、２ページに限定されるものではなく、操作スイッチで操作可能な機能の数に応じてページ数を用意することができる。
【０１２３】
また、操作スイッチ表示部１０６の任意の位置に一旦機能を割り振った後、その機能の操作スイッチを表示せず、空白としたい場合には、操作スイッチ配置設定画面１０３に設けられたスペーススイッチ１１３を押すことにより、スペーススイッチ１１３が押された位置の操作スイッチの表示をしないようにできる。
【０１２４】
次に、図１６に示したような内視鏡の操作部に設けられた操作スイッチ８５〜８８及び図４２に示すフットスイッチ１０１などのリモートスイッチに対する機能設定について説明する。
【０１２５】
メイン操作画面１０２において、スコープ・フットスイッチ設定画面切換スイッチ１０７を押すと、図４５のスコープ・フットスイッチ設定画面１０４に切り換わる。スコープ・フットスイッチ設定画面１０４には、内視鏡操作部及びフットスイッチの絵が表示され、スコープスイッチ選択キー１１４〜１１７と、フットスイッチ選択キー１１８とが設けられている。また、スコープ・フットスイッチ設定画面１０４の下側部には、機能選択キー群１１９が配設されている。
【０１２６】
本実施例では、第１実施例と同様に内視鏡の操作スイッチ８５〜８８に所望の機能をそれぞれ設定できるのに加えて、フットスイッチ１０１についても任意の機能を選択して設定可能となっている。なお、このスイッチの機能設定についても操作者毎に設定することが可能である。
【０１２７】
内視鏡の操作スイッチ８５〜８８やフットスイッチ１０１に機能を設定する場合には、まず、操作者設定画面切換スイッチ４７を押して第１実施例と同様に操作者設定画面９０で操作者を設定する。すると、操作者名表示部９２に設定を行う操作者名が表示される。そして、スコープ・フットスイッチ設定画面切換スイッチ１０７を押すことによりスコープ・フットスイッチ設定画面１０４に切り換える。なお、操作者の設定は、スコープ・フットスイッチ設定画面１０４上においても行うことができる。
【０１２８】
そして、内視鏡の操作スイッチ８５〜８８のうち、設定したいスイッチに対応するスコープスイッチ選択キーを押す。すると、押されたキーの部分は、他のキーに比べて目立つ色に変わり、選択された操作スイッチが容易に判別可能となる。次に、操作者は、自分にとって使用頻度が高いなどの理由で、内視鏡の指定した操作スイッチに設定したい機能のスイッチを機能選択キー群１１９の中から一つ選んで押す。これにより、指定した内視鏡の操作スイッチに所望の機能の操作スイッチを選択して設定することができる。同様の方法で、他の内視鏡の操作スイッチ及びフットスイッチ１０１についても機能を設定することができる。
【０１２９】
内視鏡の操作スイッチ８５〜８８の全てとフットスイッチ１０１の機能設定が終了した後、画面階層アップスイッチ１２０を押すことにより、メイン操作画面１０２に戻る。このようにして設定した内視鏡の操作スイッチ８５〜８８及びフットスイッチ１０１の機能は、メイン操作画面１０２の機能設定表示部１０５に表示される。この機能設定表示部１０５に表示された機能は、それぞれ内視鏡の操作スイッチ８５〜８８及びフットスイッチ１０１に対応しており、各スイッチを操作することにより操作者の好みで設定された各機能が実行される。
【０１３０】
図４３に示した例では、操作者名表示部９２に表示してある  Ｄｒ．Ｋａｗａｈａｒａの設定は、内視鏡の操作スイッチ（Ａ）８５に  Ｒｅｌｅａｓｅが、操作スイッチ（Ｂ）８６に  Ｐｒｉｎｔが、操作スイッチ（Ｃ）８７に  ＶＴＲが、操作スイッチ（Ｄ）８８にＦｒｅｅｚｅが、フットスイッチ１０１にＩｒｉｓがそれぞれ割り振られており、各リモートスイッチを操作すると設定された機能に対応した指示が目的の装置に送られ、各機能が動作する。
【０１３１】
以上のように、本実施例によれば、メイン操作画面１０２において、操作者毎に自分にとって必要である使用頻度の高いスイッチだけを操作スイッチ表示部１０６に表示できるので、操作性を向上でき、余分な普段使用しないスイッチを誤って押してしまい、内視鏡システムが操作者の意図しない設定となることを防止できる。また、多くのユーザを想定して内視鏡システムに多種多様な機能を設けた場合においても、ある操作者にとって必要最低限の操作スイッチだけをメイン操作画面に表示できるので、スイッチの数が多くなってしまい操作に戸惑ったり、下の階層の操作画面に切り換えて操作しなければならないなどの不具合もなく、使用頻度の高い操作スイッチのみを容易に操作することが可能となる。
【０１３２】
また、操作者は、自分の使用状況、使用頻度に応じて、内視鏡システムの各操作機能をコントロールパネルの操作画面だけでなく、リモートスイッチとしての内視鏡の操作スイッチやフットスイッチに任意の機能を設定することができ、これらのリモートスイッチを操作することによって、設定された機能の操作指示を行うことができる。このようにコントロールパネル以外からも所定の機能を操作できるため、内視鏡検査中においても自由かつ容易に操作が可能となり、操作性を向上できる。
【０１３３】
図４６及び図４７は本発明の第３実施例に係り、図４６はメイン操作画面を示す説明図、図４７は操作画面上のスイッチの配置を設定するための操作スイッチ配置設定画面を示す説明図である。
【０１３４】
本実施例は、第２実施例のメイン操作画面及び操作スイッチ配置設定画面の変形例である。
【０１３５】
図４６に示すメイン操作画面１２１、及び、図４７に示す操作スイッチ配置設定画面１２２には、第２実施例の画面に加えて、右下部に操作スイッチ群前ページスイッチ１２３と、操作スイッチ群次ページスイッチ１２４と、操作スイッチ群ページ表示部１２５とが設けられている。その他の画面構成は第２実施例と同様である。
【０１３６】
本実施例では、第２実施例において最大で７個任意に設定可能であった操作スイッチ表示部１０６に表示する操作スイッチ群を拡張したものであり、例えば７個の操作スイッチ群を１ページとして複数のページを持っている。操作スイッチの配置の設定方法は第２実施例と同様である。
【０１３７】
操作スイッチ表示部１０６の操作スイッチ群のページを切り換える場合は、操作スイッチ群前ページスイッチ１２３を押すことにより、操作スイッチ群が前ページに切り換わり、操作スイッチ群次ページスイッチ１２４を押すことにより、操作スイッチ群が次ページに切り換わる。また、現在のページ数は操作スイッチ群ページ表示部１２５に表示され、操作スイッチ表示部１０６の階層を認識することができる。
【０１３８】
このように、本実施例によれば、第２実施例の効果に加えて、操作者が自身の使用頻度に応じて操作スイッチ群を階層化してページ分けすることができ、より多数の操作スイッチをわかり易くかつ操作性良く配置することができる。
【０１３９】
また、特に図示しないが、操作スイッチ表示部１０６に表示する１ページ当たりのスイッチ数が最大表示可能数より少ないときは、表示スイッチ数に応じてスイッチの面積を広くしたり、形を変えることにより、より操作性を向上させることができる。
【０１４０】
【発明の効果】
以上説明したように本発明によれば、複数の装置を集中的に操作、制御する場合に、全てのユーザが満足するような各種操作スイッチの機能・配置を設定可能とすることにより操作性を向上することが可能な内視鏡システム及び内視鏡システム制御方法を実現することができる。
【図面の簡単な説明】
【図１】図１ないし図１９は本発明の第１実施例に係り、図１はコントロールパネルに表示されるシステムの主要な操作を行うためのメイン操作画面を示す説明図
【図２】内視鏡システムの外観構成を示す斜視図
【図３】内視鏡システムの制御系の構成を示すブロック図
【図４】電子内視鏡使用時の各種設定を行うための電子内視鏡設定画面を示す説明図
【図５】ファイバスコープ使用時に各種操作を行うためのファイバスコープ操作画面を示す説明図
【図６】ＶＴＲを操作するための外部ビデオ装置操作画面を示す説明図
【図７】ヒートプローブ装置を操作するためのヒートプローブ装置操作画面を示す説明図
【図８】電気メス装置を操作するための電気メス装置操作画面を示す説明図
【図９】見出し部の構成の変形例を示す説明図
【図１０】コントロールパネルにより各周辺装置を制御する際の機能構成を示すブロック図
【図１１】日付け等を設定するための日付け設定画面を示す説明図
【図１２】患者データを入力する際に用いる患者データ入力画面（１）を示す説明図
【図１３】患者データを入力する際に用いる患者データ入力画面（２）を示す説明図
【図１４】コントロールパネルの操作説明を行うＨＥＬＰモード時のＨＥＬＰモード画面を示す説明図
【図１５】内視鏡の操作スイッチの機能設定を行う際に用いるスコープスイッチ設定画面を示す説明図
【図１６】内視鏡の操作部を示す斜視図
【図１７】操作者に応じた各周辺装置の設定値を選択するための操作者設定画面を示す説明図
【図１８】操作者設定画面の変形例を示す説明図
【図１９】装置の標準設定値を変更した場合の操作画面を示す説明図
【図２０】内視鏡システムの初期動作を示すフローチャート
【図２１】メイン操作画面の処理の動作を示すフローチャート
【図２２】操作画面選択処理の動作を示すフローチャート
【図２３】各機器からのコマンド受信処理の動作を示すフローチャート
【図２４】電子内視鏡設定画面処理の動作を示すフローチャート
【図２５】日付設定画面処理の動作を示すフローチャート
【図２６】ファイバスコープ操作画面処理の動作を示すフローチャート
【図２７】ベッド設定画面処理の動作を示すフローチャート
【図２８】図２６におけるファイバスコープ操作画面の各キー処理の動作を示すフローチャート
【図２９】外部ビデオ装置操作画面処理の動作を示すフローチャート
【図３０】図２９における外部ビデオ装置操作画面の各キー処理の動作を示すフローチャート
【図３１】ヒートプローブ装置操作画面処理の動作を示すフローチャート
【図３２】図３１におけるヒートプローブ装置操作画面の各キー処理の動作を示すフローチャート
【図３３】電気メス装置操作画面処理の動作を示すフローチャート
【図３４】図３３における電気メス装置操作画面の各キー処理の動作を示すフローチャート
【図３５】患者データ入力画面処理の動作を示すフローチャート
【図３６】図３５における患者データ入力画面の各キー処理の動作を示すフローチャート
【図３７】ヘルプ処理の動作を示すフローチャート
【図３８】スコープスイッチ設定画面処理の動作を示すフローチャート
【図３９】図３８におけるスコープスイッチ設定画面の各キー処理の動作を示すフローチャート
【図４０】操作者設定画面処理の動作を示すフローチャート
【図４１】図４０における操作者設定画面の各キー処理の動作をを示すフローチャート
【図４２】図４２ないし図４５は本発明の第２実施例に係り、図４２は内視鏡システムの全体構成を示す斜視図
【図４３】メイン操作画面を示す説明図
【図４４】操作画面上のスイッチの配置を設定するための操作スイッチ配置設定画面を示す説明図
【図４５】スコープスイッチ及びフットスイッチの機能設定をするためのスコープ・フットスイッチ設定画面を示す説明図
【図４６】図４６及び図４７は本発明の第３実施例に係り、図４６はメイン操作画面を示す説明図
【図４７】操作画面上のスイッチの配置を設定するための操作スイッチ配置設定画面を示す説明図
【図４８】従来の操作画面を示す説明図
【符号の説明】
３…システム本体
４…コントロールパネル
１１…内視鏡
１２…光源装置
１３…ビデオシステムセンタ
１４…ヒートプローブ装置
１５…電気メス装置
１６…ホストコントローラ
３１…メイン操作画面
３７…見出し部（操作画面選択部）
４１〜４５…操作画面切換スイッチ
４６…操作スイッチ群
５３…画面階層アップスイッチ
【図１】
0003576466.tif 000002
【図２】
0003576466.tif 000003
【図３】
0003576466.tif 000004
【図４】
0003576466.tif 000005
【図５】
0003576466.tif 000006
【図６】
0003576466.tif 000007
【図７】
0003576466.tif 000008
【図８】
0003576466.tif 000009
【図９】
0003576466.tif 000010
【図１０】
0003576466.tif 000011
【図１１】
0003576466.tif 000012
【図１２】
0003576466.tif 000013
【図１３】
0003576466.tif 000014
【図１４】
0003576466.tif 000015
【図１５】
0003576466.tif 000016
【図１６】
0003576466.tif 000017
【図１７】
0003576466.tif 000018
【図１８】
0003576466.tif 000019
【図１９】
0003576466.tif 000020
【図２０】
0003576466.tif 000021
【図２１】
0003576466.tif 000022
【図２２】
0003576466.tif 000023
【図２３】
0003576466.tif 000024
【図２４】
0003576466.tif 000025
【図２５】
0003576466.tif 000026
【図２６】
0003576466.tif 000027
【図２７】
0003576466.tif 000028
【図２８】
0003576466.tif 000029
【図２９】
0003576466.tif 000030
【図３０】
0003576466.tif 000031
【図３１】
0003576466.tif 000032
【図３２】
0003576466.tif 000033
【図３３】
0003576466.tif 000034
【図３４】
0003576466.tif 000035
【図３５】
0003576466.tif 000036
【図３６】
0003576466.tif 000037
【図３７】
0003576466.tif 000038
【図３８】
0003576466.tif 000039
【図３９】
0003576466.tif 000040
【図４０】
0003576466.tif 000041
【図４１】
0003576466.tif 000042
【図４２】
0003576466.tif 000043
【図４３】
0003576466.tif 000044
【図４４】
0003576466.tif 000045
【図４５】
0003576466.tif 000046
【図４６】
0003576466.tif 000047
【図４７】
0003576466.tif 000048
【図４８】
0003576466.tif 000049